(57)【要約】【課題】  保守作業員が点検作業の現場から遠く離れた場所にいても容易に送受話器の通話モードを切り換えられるようにする。【解決手段】  保守作業員Ｍは、携帯端末１４により公衆回線網５を介して監視センター側監視装置６にアクセスでき、点検モード設定部１０に対する通話モードの設定及び設定の解除を行うことができる。したがって、保守作業員Ｍは、点検作業の終了後に通話モードを点検モードから通常モードに戻すのを忘れていることに気が付いた場合、点検作業の現場から遠く離れていても容易に通常モードに戻す操作を行うことができる。【選択図】  図１
2006264810.tif 000002
【特許請求の範囲】
【請求項１】
かご側送受話器及び携帯端末と伝送ラインを介して接続される監視センター側監視装置に設けられ、このかご側送受話器と監視センター側監視装置との間の通話機能が確保されているか否かについての点検処理が可能となる点検モードの設定及びその解除が、前記携帯端末からの設定操作信号により行われる点検モード設定部と、
前記監視センター側監視装置に設けられ、前記点検モード設定部に点検モードが設定されている場合に、前記かご側送受話器に対して点検用音声データを出力する点検用音声出力部と、
前記監視センター側監視装置に設けられ、前記かご側送受話器からの受信音声が正常であるか否かにつき判定する受信音声判定部と、
前記監視センター側監視装置に設けられ、前記受信音声判定部の判定結果に基づき前記通話機能についての点検結果の正常又は異常を判別する点検処理制御部と、
を備えたことを特徴とするエレベータの非常時通話機能点検システム。
【請求項２】
前記点検処理制御部は、かご側から発せられる非常呼び信号の入力に基づき点検開始指令を出力するものであり、
前記点検用音声出力部は、前記点検処理制御部からの点検開始指令の入力に基づき前記点検用音声データの出力を行うものである、
ことを特徴とする請求項１記載のエレベータの非常時通話機能点検システム。
【請求項３】
前記点検処理制御部は、前記点検用音声出力部による前記かご側送受話器に対する点検用音声データの出力を行った後、前記受信音声判定部による前記かご側送受話器からの受信音声の判定を行うものである、
ことを特徴とする請求項１又は２記載のエレベータの非常時通話機能点検システム。
【請求項４】
前記点検処理制御部は、前記点検結果を正常と判別した場合に、前記かご側送受話器に対して所定の報知音を出力するものである、
ことを特徴とする請求項１乃至３のいずれかに記載のエレベータの非常時通話機能点検システム。
【請求項５】
前記点検処理制御部の点検結果を記録する点検結果記録部を備えた、
ことを特徴とする請求項１乃至４のいずれかに記載のエレベータの非常時通話機能点検システム。
【請求項６】
前記伝送ラインは公衆回線網を含んで構成されるものであり、
前記非常呼び信号は、かご内の非常釦の操作により発せられ、遠隔監視装置及び前記公衆回線網を経由して前記監視センター側監視装置へ伝送されるものである、
ことを特徴とする請求項１乃至５のいずれかに記載のエレベータの非常時通話機能点検システム。
【発明の詳細な説明】
【技術分野】
【０００１】
本発明は、伝送ラインを介して接続されるかご側送受話器と監視センター側監視装置との間で通話機能が確保されているかどうかの点検を行うためのエレベータの非常時通話機能点検システムに関するものである。
【背景技術】
【０００２】
エレベータは、乗客の乗ったかごをビル内で上下方向に昇降させる便利な「縦の交通手段」であるが、時として、停電、地震、火災、あるいはその他の何らかの異常が原因で乗客がかごから降りられず、かご内に閉じ込められる事故が発生することがある。このような閉じ込め事故が発生した場合、エレベータの運転状況を監視しているエレベータ監視センターは、エレベータ救出運転を行ったり、現場に係員を急行させるなどして乗客をかご内から救出するようにしている。
【０００３】
しかし、閉じ込め事故が発生した場合のかごは狭い空間の密室状態となり、かご内に閉じこめられた乗客が外部（エレベータ管理室又はエレベータ監視センター）と連絡を取ることのできる手段は、かご内に設置されている送受話器（インタホン）のみとなる。したがって、かご内の送受話器による外部との正常な通話機能が常に確保されているか否かを点検することはエレベータの安全管理上重要である。
【０００４】
そして、従来の一般的な点検作業は、かご内に乗り込んだ保守作業員がかご内の送受話器によりエレベータ監視センターのオペレータを呼び出し、このオペレータとの間で通話を試みることにより正常な通話機能が確保されているか否かを判別するものであった。
【０００５】
しかし、エレベータ監視センターのオペレータは、広域にわたる多数のエレベータの監視業務を行なっている。そのため、保守作業員との間で各かご毎の点検時にその都度通話を行っていたのでは他のエレベータに対する監視業務に支障をきたす虞がある。そこで、近時は例えば、特許文献１に開示されているように、エレベータ監視センターのオペレータ介在することなく、現場の保守作業員のみで点検作業が行うことが可能なエレベータの通話装置も開発されている。
【０００６】
この特許文献１に係る通話装置は、かご内の保守作業員が、監視センターを呼び出した後、かご側送受話器を介して音声を発すると、監視センター内の自動応答装置がこの保守作業員の音声を録音し、次いで、この録音した音声を再生してかご側に戻すようにしている。そして、かご内の保守作業員は、このとき戻された自己の再生音声を送受話器により確認することにより、正常な通話機能が維持されていると判別するようになっている。
【０００７】
また、保守作業員はこのような点検作業を行う場合、かご内に設けられている点検スイッチを操作して通話モードを通常モードから点検モードに切り換えるようにし（点検モードでは送受話器による通話ができないようになっている）、点検作業終了後に通常モードに戻すようにしている。
【特許文献１】特許第２８８２５４０号
【発明の開示】
【発明が解決しようとする課題】
【０００８】
保守作業員は、点検作業終了後は上記のように点検スイッチの切換を行うことにより、送受話器の通話モードを点検モードから通常モードに戻し、閉じ込め事故等が発生した場合に備えて送受話器が使える状態にしておかなければならない。しかし、通常モードへの復帰は手動により行うのが一般的であるため、通話モードを戻し忘れる可能性もある。保守作業員が通話モードの戻し忘れに気が付いた時が既に点検作業の現場から遠く離れているような場合は、保守作業員は通話モードを元に戻す操作を行うために再び現場に戻らなければならず、多くの時間や労力を費やすことになる。
【０００９】
なお、特許文献１には、「状態をホールドしないタイプのスイッチ」を用いることにより上記のような戻し忘れを防止する機能を持たせることが記載されているが、「状態をホールドしないタイプのスイッチ」では点検作業の作業性を低下させることになる。
【００１０】
本発明は上記事情に鑑みてなされたものであり、通話モードの戻し忘れがあったとしても容易に送受話器の通話モードを切り換えることができるエレベータの非常時通話機能点検システムを提供することを目的としている。
【課題を解決するための手段】
【００１１】
上記課題を解決するための手段として、請求項１記載の発明は、かご側送受話器及び携帯端末と伝送ラインを介して接続される監視センター側監視装置に設けられ、このかご側送受話器と監視センター側監視装置との間の通話機能が確保されているか否かについての点検処理が可能となる点検モードの設定及びその解除が、前記携帯端末からの設定操作信号により行われる点検モード設定部と、前記監視センター側監視装置に設けられ、前記点検モード設定部に点検モードが設定されている場合に、前記かご側送受話器に対して点検用音声データを出力する点検用音声出力部と、前記監視センター側監視装置に設けられ、前記かご側送受話器からの受信音声が正常であるか否かにつき判定する受信音声判定部と、前記監視センター側監視装置に設けられ、前記受信音声判定部の判定結果に基づき前記通話機能についての点検結果の正常又は異常を判別する点検処理制御部と、を備えたことを特徴とする。
【００１２】
請求項２記載の発明は、請求項１記載の発明において、前記点検処理制御部は、かご側から発せられる非常呼び信号の入力に基づき点検開始指令を出力するものであり、前記点検用音声出力部は、前記点検処理制御部からの点検開始指令の入力に基づき前記点検用音声データの出力を行うものである、ことを特徴とする。
【００１３】
請求項３記載の発明は、請求項１又は２記載の発明において、前記点検処理制御部は、前記点検用音声出力部による前記かご側送受話器に対する点検用音声データの出力を行った後、前記受信音声判定部による前記かご側送受話器からの受信音声の判定を行うものである、ことを特徴とする。
【００１４】
請求項４記載の発明は、請求項１乃至３のいずれかに記載の発明において、前記点検処理制御部は、前記点検結果を正常と判別した場合に、前記かご側送受話器に対して所定の報知音を出力するものである、ことを特徴とする。
【００１５】
請求項５記載の発明は、請求項１乃至４のいずれかに記載の発明において、前記点検処理制御部の点検結果を記録する点検結果記録部を備えた、ことを特徴とする。
【００１６】
請求項５記載の発明は、請求項１乃至５のいずれかに記載の発明において、前記伝送ラインは公衆回線網を含んで構成されるものであり、前記非常呼び信号は、かご内の非常釦の操作により発せられ、遠隔監視装置及び前記公衆回線網を経由して前記監視センター側監視装置へ伝送されるものである、ことを特徴とする。
【発明の効果】
【００１７】
本発明によれば、保守作業員は、点検作業の現場から遠く離れた場所で通話モードの戻し忘れに気が付いた場合であっても、携帯端末を操作することにより容易に送受話器の通話モードを通常モードに戻すことが可能になる。
【発明を実施するための最良の形態】
【００１８】
図１は、本発明の実施形態の構成を示すブロック図である。この図において、エレベータかご１はかご側送受話器２及び非常釦３を備えており、かご側送受話器２は遠隔監視装置４に接続されている。そして、非常釦３による非常呼び信号が遠隔監視装置４に送られると、遠隔監視装置４がダイヤル動作を行い、かご側送受話器２は電話回線などの公衆回線網５に接続されるようになっている。なお、遠隔監視装置４にはエレベータ制御装置（図示せず）が接続されており、エレベータの運転状態が遠隔監視されるようになっている。
【００１９】
一方、監視センター側監視装置６は、公衆回線網５に接続された送受信部７を備えており、この送受信部７にセンター側送受話器８が接続されている。したがって、監視センターのオペレータは、非常時にはこのセンター側送受話器８によりかご側送受話器２と通話が行えるようになっている。
【００２０】
監視センター側監視装置６は、更に、非常時通話機能の点検に必要な構成要素である、点検処理制御部９、点検モード設定部１０、点検用音声出力部１１、受信音声判定部１２、及び点検結果記録部１３を備えている。
【００２１】
そして、保守作業員Ｍは携帯端末１４を携帯しており、この携帯端末１４により公衆回線網５を介して監視センター側監視装置６にアクセスできるようになっている。
【００２２】
点検処理制御部９は、かご側送受話器２との間の通話機能が確保されているか否かについての点検処理を司るものである。点検モード設定部１０は、点検処理の実行が可能となる点検モードを設定するためのものであり、点検処理制御部９は、この点検モード設定部１０に点検モードが設定されている場合に限り点検処理を実行することができる。
【００２３】
保守作業員Ｍは、上記の点検モード設定部１０に対する設定及び設定の解除を携帯端末１４の操作により行うことができるようになっている。また、監視センターのオペレータも点検モード設定部１０に対する設定及び設定の解除を手動操作により行うことができるようになっている。
【００２４】
なお、点検モード設定部１０に対して期日及び時刻を指定して自動的に点検モードの設定及び設定の解除が行われる構成を採用することも可能であるが、点検作業のスケジュールに急な変更が生じた場合等は却って不都合な事態となる虞がある。したがって、本実施形態では、点検モード設定部１０に対する設定及び設定の解除は、保守作業員Ｍ又は監視センターのオペレータが点検作業の直前又は直後に明確な意思をもって行う場合に限定される。
【００２５】
点検用音声出力部１１は、かご側送受話器２に対して予め作成された点検用音声データを出力するものである。この点検用音声データとしては、例えば「これから通話機能の点検を行います」などの音声メッセージが用いられるが、音声メッセージに限らず種々の効果音やメロディなどを用いることも可能である。
【００２６】
受信音声判定部１２は、かご側送受話器２から送受信部７が受信した音声が正常であるか否かにつき判定するものである。正常な受信音声とするためには、通常の聴覚を有する人が容易に認識することができるような音声に設定しておく。したがって、音量が所定レベル以下である場合、あるいはノイズが所定レベル以上であるような場合などは正常な受信音声とは判定されない。
【００２７】
上記の受信音声判定部１２の判定結果に基づき、点検処理制御部９は通話機能についての点検結果の良否を判別するが、この判別結果は、例えばハードディスクにより構成される点検結果記録部１３に記録される。したがって、監視センターのオペレータは、点検作業の終了後の適当な時期に、この点検結果記録部１３に記録された点検結果を表示部（図示せず）に表示させて確認することができる。
【００２８】
図２は、図１の動作につき点検処理制御部９の処理を中心として示したフローチャートである。いま、エレベータ保守会社の保守作業員Ｍが例えば定期的なメンテナンス作業を行うに当たり、予め携帯端末１４に対して点検モード設定部１０を点検モードに設定するための所定操作を行う。この所定操作により、携帯端末１４からの設定操作信号が公衆回線網５を介して送受信部７に送信される。点検処理制御部９は送受信部７が受信した設定操作信号を入力し、点検モード設定部１０のモードの設定をそれまでの通常モードから点検モードに変更する。これにより、保守作業員Ｍが通話機能の点検作業を行うための準備が完了する。
【００２９】
保守作業員Ｍは、上記のように非常時通話機能の点検作業のための準備が完了した後、エレベータかご１内に乗り込み、非常釦３を押す。すると、非常釦３により発せられる非常呼び信号により遠隔監視装置４はダイヤル動作を行なう。これにより、非常呼び信号は公衆回線網５を介して送受信部７に送信される。そして、点検処理制御部９は送受信部７が受信した非常呼び信号を入力する（ステップ１）。
【００３０】
このとき、点検処理制御部９は、点検モード設定部１０の設定が点検モードになっているか否かをチェックする（ステップ２）。上記の場合は、点検モードに設定されているが、もしこのとき点検モードに設定されていなければ（すなわち通常モードに設定されていれば）点検処理制御部９は機能せず、そのまま点検処理は終了する。したがって、この場合、オペレータはセンター側送受話器８を用いてかご側送受話器２と通話が可能である。
【００３１】
さて、上述したように、保守作業員Ｍは予め点検モード設定部１０に点検モードを設定しているので、点検処理制御部９は点検開始指令を点検用音声出力部１１に出力する。これにより、点検用音声出力部１１は音声メッセージなどの点検用音声データを送受信部７に出力する（ステップ３）。この音声メッセージは、公衆回線網５及び遠隔監視装置４を介してかご側送受話器２に送信され、エレベータかご１内の保守作業員Ｍに対してこのかご側送受話器２からの出力音声を流す。
【００３２】
保守作業員Ｍは、この出力音声を聞き取ることができたら、例えば「ただいま１号機のかごの点検テスト中です」など適当なメッセージをかご側送受話器２に発するようにする。この保守作業員Ｍの音声は、遠隔監視装置４及び公衆回線網５を介して送受信部７に送信される。受信音声判定部１２は、点検用音声出力部１１が上記の音声メッセージの出力をかご側に対して行った後、送受信部７がかご側音声を正常に受信したか否かを判定する（ステップ４）。
【００３３】
そして、受信音声判定部１２がかご側音声を正常に受信したと判別すると、点検処理制御部９は通話機能が正常であると判別し、更に、所定の報知音（例えば、「ピッ」という効果音）を送受信部７に出力し、これを公衆回線網５及び遠隔監視装置４を介してかご側送受話器２に送信する（ステップ５）。保守作業員Ｍは、このピッという報知音を聞くことにより、通話機能が正常であると判別されたことを確認することができる。これに対し、受信音声判定部１２が設定時間を経過してもかご側音声を正常に受信した旨の判定を行わなかった場合、点検処理制御部９は通話機能が異常であると判別する（ステップ６，７）。
【００３４】
次いで、点検処理制御部９は通話機能についての判別結果すなわちステップ５又はステップ７の判別結果を点検結果記録部１３に記録する（ステップ８）。したがって、オペレータは保守作業員Ｍの行った点検作業の結果を直ちに確認する必要はなく、その後の適当な時間帯に表示部に表示させて確認することができる。
【００３５】
保守作業員Ｍは、通話機能が正常又は異常のいずれの場合であっても、携帯端末１４に対して点検モード設定部１０の点検モードを解除するための所定操作を行う。これにより、点検モードの設定を解除するための設定操作信号すなわち設定解除指令が携帯端末１４から公衆回線網５を介して送受信部７に送信される。
【００３６】
点検処理制御部９は、点検結果を点検結果記録部１３に記録した後、携帯端末１４からの設定解除指令を送受信部７が受信したか否かを判別している（ステップ９）。そして、点検処理制御部９は、この設定解除指令を受信したと判別した場合に、通信切断指令を送受信部７に出力して公衆回線網５を介したかご側との通信を切断すると共に、点検モード設定部１０の点検モードの設定を解除し、通常モードに戻すようにする（ステップ１０）。これにより、点検作業は終了し、再びオペレータはセンター側送受話器８を用いてかご側送受話器２と通話が可能な状態になる。
【００３７】
一方、点検処理制御部９がステップ９で設定解除指令を送受信部７が受信したと判別できない場合、すなわち保守作業員Ｍが点検モードの設定の解除を忘れている場合は、所定時間の経過を判別した後（ステップ１１）、通信切断指令を送受信部７に出力して公衆回線網５を介したかご側との通信の切断のみを行う（ステップ１２）。これにより、点検作業は一応は終了する。しかし、この場合には点検モード設定部１０の設定が通常モードに戻されていないので、センター側送受話器８とかご側送受話器２との間の通話が可能な状態になっていない。
【００３８】
そして、保守作業員Ｍは、点検モード設定部１０の点検モードの設定を解除するのを忘れていることに気付いた場合、直ちに携帯端末１４に対して所定操作を行い、点検モードの設定を解除して通常モードに戻すようにする。このとき、保守作業員Ｍが行う操作は、自身が常時携帯している携帯端末１４に対して行うものなので、保守作業員Ｍの現在地が点検作業の現場から遠く離れていても容易に行うことができる。
【図面の簡単な説明】
【００３９】
【図１】本発明の実施形態の構成を示すブロック図。
【図２】図１の動作を説明するためのフローチャート。
【符号の説明】
【００４０】
１  エレベータかご
２  かご側送受話器
３  非常釦
４  遠隔監視装置
５  公衆回線網
６  監視センター側監視装置
７  送受信部
８  センター側送受話器
９  点検処理制御部
１０  点検モード設定部
１１  点検用音声出力部
１２  受信音声判定部
１３  点検結果記録部
１４  携帯端末
Ｍ  保守作業員
【図１】
2006264810.tif 000003
【図２】
2006264810.tif 000004